(57)【要約】【課題】            スロットマシンにあって、払い出されたあるいは貸し出された大量のメダルは、精算カウンターまで運搬する必要があり、これは遊技者にとっても、また、店員にとっても重量が嵩張って容易でない作業となってしまい、店側にとっても、そのために店員を増員することで人件費がかかってしまう。メダルは球状のパチンコ玉と異なり、平円板状のため、自重で落下させるとしても摩擦係数が大きく、機構的に良好に機能しないという点もネックとなっている。【解決手段】        側部に専用のメダル貸出機を併設してあるスロットマシンであって、その遊技台の前面下方位置に獲得したメダルの投入口を設け、その投入口から、前記した遊技台の後方下方に設定されたメダル回収ラインまで、途中にメダルの枚数計数機を介在させて下りスロープを形成させてあることとする。【選択図】          図１
2017158613.tif 000002
【特許請求の範囲】
【請求項１】
側部に専用のメダル貸出機を併設してあるスロットマシンであって、その遊技台の前面下方位置に獲得したメダルの投入口を設け、その投入口から、前記した遊技台の後方下方に設定されたメダル回収ラインまで、途中にメダルの枚数計数機を介在させて下りスロープを形成させてあることを特徴とするスロットマシンのメダル回収装置。
【請求項２】
前記した投入口は遊技台の下部に設けられ、下端を枢支され、断面を三角状とした枢動ポケットの手前への枢動によって形成される構成としたことを特徴とする請求項１に記載のスロットマシンのメダル回収装置。
【請求項３】
前記したメダルの枚数計数機は前記した枢動ポケットの枢支された基端に設けられていることを特徴とする請求項２に記載のスロットマシンのメダル回収装置。
【請求項４】
前記した枢動ポケットの手前側板には、上方へ延長される補助ガイドプレートがスライド可能に設けられていることを特徴とする請求項２または３に記載のスロットマシンのメダル回収装置。
【請求項５】
前記した投入口は、遊技台下端前面に設けられた、開閉蓋を開くことで開口形成される構成としたことを特徴とする請求項１に記載のスロットマシンのメダル回収装置。
【請求項６】
前記したメダルの枚数計数機は前記した投入口の直下に設けられていることを特徴とする請求項５に記載のスロットマシンのメダル回収装置。
【請求項７】
前記したメダルの枚数計数機とメダル貸出機は配線で電気的に接続され、計算されたメダル数はメダル貸出機で管理される構成としてあることを特徴とする請求項１から６のうち１項に記載のスロットマシンのメダル回収装置。
【発明の詳細な説明】
【技術分野】
【０００１】
本発明はスロットマシンのメダル回収装置に関し、それも遊技者が景品と交換可能な獲得したメダルの回収装置に関する。
【背景技術】
【０００２】
従来、スロットマシンにおける遊技にあっては、遊技台の前面に形成されているスリット（スロット）に適宜枚数のゲーム媒体用メダルを投入し、レバーを操作することで三つのドラムを回転させる。近時、表示を液晶セグメントの点滅によって行う機能もあるが、その場合、窓に小さなドラムの回転状態が表出される。そして、各ドラムの停止スイッチボタンを各々押すことで各ドラムの回転を止め、ドラムに描かれた図柄が揃うことで適中となり、メダルが払い出される。
【０００３】
また、ゲーム媒体用メダルは遊技台に隣接されている貸出機に紙幣を挿入することで自動的に遊技台の受皿へシュートを介して供給される。一般的に５００円単位となっており、千円札を挿入した場合残りの５００円分に表記されており、使用しなければ貸出機にセットされている専用カードに記録され、精算することができる。一万円札を使用した場合でも同旨である。
【０００４】
投入されて不適中となったメダルは、遊技台の島の下方に設けられた回収ライン（ベルト）に送られ、島端の集積部へ回収集積され、洗浄されて再び各遊技台の上部へ送出される。
【０００５】
また、適中によって払い出されたメダルは受皿へ供給されるが、その枚数が多量となると別途の箱を用意し、その箱へ遊技者がメダルを収容し、ゲームを終了した際に、その箱に入れたメダルを景品カウンターへ持参し、景品と交換する。この作業は現状では店員が代行して行うことが多くなっている。
【先行技術文献】
【特許文献】
【０００６】
出願人は、本願発明について、先行技術文献を調査したが、格別に本願発明と関連し、類似していると思われる文献は発見できなかった。
【発明の概要】
【発明が解決しようとする課題】
【０００７】
本願発明が解決しようとする問題点は、スロットマシンにあって、払い出されたあるいは貸し出された大量のメダルは、精算カウンターまで運搬する必要があり、これは遊技者にとっても、また、店員にとっても重量が嵩張って容易でない作業となってしまい、店側にとっても、そのために店員を増員することで人件費がかかってしまう。メダルは球状のパチンコ玉と異なり、平円板状のため、自重で落下させるとしても摩擦係数が大きく、機構的に良好に機能しないという点もネックとなっている。
【課題を解決するための手段】
【０００８】
上記した問題点を解決するために、本発明に係るスロットマシンのメダル回収装置は、側部に専用のメダル貸出機を併設してあるスロットマシンであって、その遊技台の前面下方位置に獲得したメダルの投入口を設け、その投入口から、前記した遊技台の後方下方に設定されたメダル回収ラインまで、途中にメダルの枚数計数機を介在させて下りスロープを形成させてあることを特徴としている。
【０００９】
また、本発明に係るスロットマシンのメダル回収装置は、前記した投入口は遊技台の下部に設けられ、下端を枢支され、断面を三角状とした枢動ポケットの手前への枢動によって形成される構成としたことを特徴とし、前記したメダルの枚数計数機は前記した枢動ポケットの枢支された基端に設けられていることを特徴としている。
【００１０】
さらに、本発明に係るスロットマシンのメダル回収装置は、前記した枢動ポケットの手前側板には、上方へ延長される補助ガイドプレートがスライド可能に設けられていることを特徴としている。
【００１１】
そして、本発明に係るスロットマシンのメダル回収装置は、前記した投入口は、遊技台下端前面に設けられた、開閉蓋を開くことで開口形成される構成としたことを特徴とし、前記したメダルの枚数計数機は前記した投入口の直下に設けられていることを特徴としている。
【００１２】
さらに、本発明に係るスロットマシンのメダル回収装置は、前記したメダルの枚数計数機とメダル貸出機は配線で電気的に接続され、計算されたメダル数はメダル貸出機で管理される構成としてあることを特徴としている。
【発明の効果】
【００１３】
メダルの投入口を遊技者の前面下方位置に設け、その投入口から枚数計数機を介在させて、メダル回収ラインまで下りスロープを形成してあることで、遊技者は、受皿がメダルを投入口へ掻き入れることができ、途中の枚数計数機でカウントしながら下りスロープでメダル回収ラインまで落下させる構成であるので、メダルを精算カウンターまで、運搬する労力は不要となり、店員も削減できる。枚数計数機でカウントされた枚数は、貸出機にセットされている記録カードに記録されるので、残余の金額とともに精算カウンターで精算され、景品との交換も実行されることとなる。
【図面の簡単な説明】
【００１４】
【図１】本発明の実施例１を示すスロットマシンの島における側面図である。
【図２】正面図である。
【図３】本発明の実施例２を示すスロットマシンの島における側面図である。
【図４】正面図である。
【発明を実施するための形態】
【００１５】
図面として示し、実施例で説明したように構成することで実現した。
【実施例１】
【００１６】
次に、本発明の好ましい実施の例を図面を参照して説明する。図１及び図２は実施例１を示すもので、図中１はスロットマシン本体を示している。このスロットマシン本体１は壁沿いの場合の他は背中合わせに複数台が並設されて島を構成している。
【００１７】
このスロットマシン本体１は前面下方にメダルの受皿３が設けられており、三つの回転ドラム４、４ａ、４ｂが並設されている。この回転ドラム４、４ａ、４ｂは特に図示しないメダルの投入スリット（スロット）に適宜枚数のメダルを投入し、操作レバー５を操作することで回転を開始し、各々の停止釦スイッチ６、６ａ、６ｂを押すことで各々その回転を停止し、その際に、回転ドラム４、４ａ、４ｂの図柄が一致することで適中となって相応する枚数のメダルが受皿３へ払い出される。
【００１８】
また、図中２は各スロットマシン本体１に対する専用のメダル貸出機であって、スロットマシン本体１のいずれかの側面に隣接して設置されている。このメダル貸出機２の前面には特に図示しない紙幣の挿入口が設けられ、そこから紙幣（千円札あるいは一万円札）を挿入し、真贋を判定されて引き込まれると、メダルが受皿３にシュート７を介して排出される。この排出枚数は通例５００円分であって、残余の金額は表示され、対応スイッチボタンを押すことで追加排出される。
【００１９】
さらに、この貸出機２内には記録カードがセットされており、残余の金額や後述する計数機を通過した獲得メダルの枚数が記録される。尚、この獲得したメダルの累積枚数は表示部８に表示される。９はゲームを終了した時の精算スイッチボタンである。
【００２０】
上記した構成のスロットマシンにあって実施例１にあっては、スロットマシン本体１の前面下方位置、特に受皿３の下方中央位置に、手前に引き出し枢動させる。断面三角状の枢動ポケット１０がその下端を軸１１で枢支されて備えられている。１０ａはこの枢動ポケット１０の前面板に設けられた取手である。この枢動ポケット１０を手前に引き枢動させることで上面開口が露呈し、メダルの投入口となる。この枢動ポケット１０の前面板の内面がメダルを送り落とすための下りスロープとして作用する。
【００２１】
この枢動ポケット１０の開口に対し、受皿３にたまったメダルを掻き入れることとなるが、位置関係からメダルが外部へこぼれてしまう虞があるため、枢動ポケット１０前面板には補助ガイドプレート１２が引き出し延設可能に設けられており、メダルのこぼれ出しを防止し、下りスロープによる自重流下を補助するようになっている。
【００２２】
また、枢動ポケット１０の基端（軸１１）、即ち、枢動ポケット１０の前面板による下りスロープの末部にはメダルの枚数計数機１２が設けられ、枢動ポケット１０に掻き入れられたメダルはこの計数機１２で枚数をカウントされた後に既存のメダル回収ライン１３へと送られる。ここで、計数機１２は回転タイプのジェットカウンターで、その回転による遠心力も作用して、メダルは効率よくメダル回収ライン１３へと送出される。
【００２３】
さらに、この計数機１２は配線１４によってメダル貸出機２にセットされているカードに情報を送り、そのカードに枚数情報を入力するとともに、累積枚数を表示部８で表示することとなる。尚、図中１５は煙草の吸殻入れである。
【実施例２】
【００２４】
次いで、図３、図４を参照して本発明の実施例２を説明する。尚、実施例１と共通する部分については同一符号を付して詳しい説明は省略する。この実施例２にあっては、受皿３の手前側に投入ボックス１６が備えられ、その投入ボックス１６の開口は受皿３と対応するワイドなものとなっており、その投入ボックス１６の底部に設置されたメダル枚数の計数機１２に向かい、壁面をすぼめた漏斗状となっている。尚、この投入ボックス１６の開口には手前側へ引き起こされる蓋体１６ａが付設されている。
【００２５】
前記したように、この実施例２では計数機１２は投入ボックス１６の底部に設けられており、この計数機１２から排出されたメダルはメダル回収ライン１３までのスライド１７（下りスロープ）を通って送り込まれる。
【００２６】
本発明は上記した実施例１及び実施例２のように構成することができる。いずれもコイン状となっているメダル特有の摩擦による滑りの悪さを補って良好にメダル回収ライン１３へと送り込むことができるので、メダルを精算カウンターまで運搬する労力を不必要とし、それに伴って店員の人数も削減することが可能となり人件費の節約も図れることとなる。
【符号の説明】
【００２７】
１    スロットマシン本体
２    メダル貸出機
３    受皿
４，４ａ，４ｂ    回転ドラム
５    操作レバー
６，６ａ，６ｂ    停止押釦スイッチ
７    シュート
８    表示部
９    精算スイッチボタン
１０  枢動ポケット
１１  軸
１２  補助ガイドプレート
１３  メダル回収ライン
１４  配線
１５  吸殻入れ
１６  投入ボックス
１６ａ    蓋体
１７  スライド
【図１】
2017158613.tif 000003
【図２】
2017158613.tif 000004
【図３】
2017158613.tif 000005
【図４】
2017158613.tif 000006